(57)【特許請求の範囲】
【請求項１】
被写体の画像を撮像する撮像装置であって、
第１の表示部と、
被写体側に向きを変更可能な表示面を有する第２の表示部と、
前記第１及び第２の表示部の動作を制御する制御部と、
前記第１の表示部に近接する物体を検出する近接検出部とを備え、
前記制御部は、所定の条件が満たされると、
前記第１の表示部に、前記被写体の画像を表示させ、
前記第２の表示部に、前記第１の表示部と同時に前記被写体を映す画像を表示させ、
前記表示面の向きが前記被写体側である場合において、前記制御部は、
前記近接検出部により前記物体が検出されていないとき、前記第２の表示部に、前記被写体を映す画像と、前記被写体の撮影に関する撮影情報とを表示させ、
前記近接検出部により前記物体が検出されたとき、前記第２の表示部に、前記撮影情報の一部又は全てを表示させずに、前記第１の表示部と同時に前記被写体を映す画像を表示させる
撮像装置。
【請求項２】
前記表示面の向きが前記被写体側であるか否かを検出する向き検出部をさらに備え、
前記所定の条件は、前記表示面の向きが前記被写体側であると検出されたことを含む
請求項１に記載の撮像装置。
【請求項３】
前記所定の条件は、前記表示面の向きが前記被写体側であると検出され、且つ前記近接検出部によって前記物体が検出されたことである
請求項２に記載の撮像装置。
【請求項４】
前記表示面の向きが前記被写体側であるか否かを検出する向き検出部をさらに備え、
前記制御部は、
前記近接検出部により前記物体が検出されていないとき、前記向き検出部の検出結果に応じて、前記第２の表示部に表示する画像を反転するか否かを切り替え、
前記近接検出部により前記物体が検出されたとき、前記向き検出部の検出結果に応じて、前記第２の表示部に、前記第１の表示部と同時に前記被写体を映す画像を表示させるか否かを切り替える
請求項１に記載の撮像装置。
【請求項５】
ユーザの操作を入力する操作部をさらに備え、
前記所定の条件は、前記操作部において所定のユーザ操作が入力されたことを含む
請求項１に記載の撮像装置。
【請求項６】
前記制御部は、前記所定の条件が満たされると、
前記第１の表示部に、前記被写体の画像と、前記被写体の撮影に関する撮影情報とを表示させ、
前記第２の表示部に、前記撮影情報の一部又は全てを表示させずに、前記第１の表示部と同時に前記被写体を映す画像を表示させる
請求項１に記載の撮像装置。
【請求項７】
被写体の画像を撮像する撮像装置であって、
第１の表示部と、
被写体側に向きを変更可能な表示面を有する第２の表示部と、
前記第１及び第２の表示部の動作を制御する制御部とを備え、
前記制御部は、所定の条件が満たされると、
前記第１の表示部に、前記被写体の画像を表示させ、
前記第２の表示部に、前記第１の表示部と同時に前記被写体を映す画像を表示させ、
前記制御部は、前記表示面の向きが前記被写体側であって前記所定の条件が満たされ、且つ前記被写体の動画の撮影中に、
前記第２の表示部に、前記第１の表示部と同時に前記被写体を映す画像に代えて、前記動画の撮影中であることを示す情報を表示させる
撮像装置。
【請求項８】
前記第１の表示部は、電子式ビューファインダであり、
前記第２の表示部は、可動式モニタである
請求項１に記載の撮像装置。
【発明の詳細な説明】
【技術分野】
【０００１】
本開示は、複数の表示部を備えた撮像装置に関する。
【背景技術】
【０００２】
特許文献１は、カメラ本体の正面側に画像表示用の正面側表示部を設けるとともに、カメラ本体の背面側にも画像表示用の背面側表示部を設けたカメラを開示している。特許文献１のカメラは、撮影者が表示切替手段を操作することにより、正面側表示部及び背面側表示部のうち画像を表示させる表示部を操作部の操作によって設定できるように構成されている。又、セルフタイマーモードに設定された場合には、制御部が自動的に正面側表示部の表示をオンする機能も開示されている。
【先行技術文献】
【特許文献】
【０００３】
【特許文献１】特開２００１−２５７９１１号公報
【発明の概要】
【発明が解決しようとする課題】
【０００４】
本開示は、複数の表示部を備えた撮像装置において、被撮影者の撮影を行い易くすることができる撮像装置を提供する。
【課題を解決するための手段】
【０００５】
本開示において、被写体の画像を撮像する撮像装置が提供される。撮像装置は、第１の表示部と、第２の表示部と、制御部とを備える。第２の表示部は、被写体側に向きを変更可能な表示面を有する。制御部は、第１及び第２の表示部の動作を制御する。制御部は、所定の条件が満たされると、第１の表示部に、被写体の画像を表示させ、第２の表示部に、第１の表示部と同時に被写体を映す画像を表示させる。
【発明の効果】
【０００６】
本開示によると、複数の表示部を備えた撮像装置において、被撮影者の撮影を行い易くすることができる撮像装置を提供できる。
【図面の簡単な説明】
【０００７】
【図１】本開示の実施形態１に係るデジタルカメラの構成を示す図
【図２】デジタルカメラの背面を例示する図
【図３】デジタルカメラの可動式モニタが反転された状態を例示する図
【図４】デジタルカメラにおける表示動作を説明するための状態遷移図
【図５】デジタルカメラを用いた撮影状況の一例を示す図
【図６】実施形態１におけるデジタルカメラの表示動作の処理を例示するフローチャート
【図７】デジタルカメラの通常モニタ表示状態の表示例を示す図
【図８】デジタルカメラの反転モニタ表示状態の表示例を示す図
【図９】デジタルカメラのファインダ表示状態の表示例を示す図
【図１０】デジタルカメラの両方表示状態の表示例を示す図
【図１１】実施形態２におけるデジタルカメラの表示動作の処理を例示するフローチャート
【図１２】実施形態２の変形例の両方表示状態の表示例を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者は、当業者が本開示を十分に理解するために添付図面および以下の説明を提供するのであって、これらによって特許請求の範囲に記載の主題を限定することを意図するものではない。
【０００９】
（実施形態１）
実施形態１では、本開示に係る撮像装置の一例としてのデジタルカメラについて説明する。
【００１０】
１．構成
実施形態１に係るデジタルカメラの構成について、図１〜３を用いて説明する。
【００１１】
図１は、本実施形態に係るデジタルカメラ１００の構成を示す図である。本実施形態のデジタルカメラ１００は、光学系１１０と、レンズ駆動部１２０と、イメージセンサ１４０とを備える。さらに、デジタルカメラ１００は、画像処理部１６０と、バッファメモリ１７０と、制御部１８０と、操作部２１０と、可動式モニタ２２０と、反転センサ２３０とを備える。さらに、デジタルカメラ１００は、フラッシュメモリ２４０と、カードスロット１９０と、ファインダ２５０と、アイセンサ２６０とを備える。
【００１２】
光学系１１０は、ズームレンズ及びフォーカスレンズ等を含む。ズームレンズは、光学系で形成される被写体像の倍率を変化させるためのレンズである。フォーカスレンズは、イメージセンサ１４０上に形成される被写体像のフォーカス状態を変化させるためのレンズである。ズームレンズ及びフォーカスレンズは、１枚又は複数枚のレンズで構成される。
【００１３】
レンズ駆動部１２０は、フォーカスレンズ等の光学系１１０の各種レンズをそれぞれ駆動するための構成を含む。例えば、レンズ駆動部１２０はモータを含み、制御部１８０の制御に基づいてフォーカスレンズを光学系１１０の光軸に沿って移動させる。レンズ駆動部１２０においてフォーカスレンズを駆動する構成は、ＤＣモータ、ステッピングモータ、サーボモータ、または超音波モータなどで実現できる。
【００１４】
イメージセンサ１４０は、光学系１１０を介して入射される被写体像を撮像して画像信号を生成する。画像信号は、イメージセンサ１４０によって画素毎に露光された光量の情報を含み、撮像結果の画像を示す。生成された画像信号は、例えば（不図示の）ＡＤコンバータを介してデジタル化され、画像処理部１６０に入力される。
【００１５】
イメージセンサ１４０は、所定のフレームレート（例えば、３０フレーム／秒）で新しいフレームの画像データを生成する。イメージセンサ１４０における、撮像データの生成タイミングおよび電子シャッタ動作は、制御部１８０によって制御される。イメージセンサ１４０は、ＣＭＯＳイメージセンサ、ＣＣＤイメージセンサ、またはＮＭＯＳイメージセンサなど、種々のイメージセンサを用いることができる。
【００１６】
イメージセンサ１４０は、静止画像の撮像動作、スルー画像の撮像動作等を実行する。スルー画像は主に動画像であり、ユーザが静止画像の撮像のための構図を決めるために可動式モニタ２２０に表示される。イメージセンサ１４０は、本実施形態における撮像部の一例である。
【００１７】
画像処理部１６０は、イメージセンサ１４０から出力された画像信号に対して所定の処理を施して画像データを生成したり、画像データに各種の処理を施して、可動式モニタ２２０に表示するための画像を生成したりする。所定の処理としては、ホワイトバランス補正、ガンマ補正、ＹＣ変換処理、電子ズーム処理、圧縮処理、伸張処理等が挙げられるが、これらに限定されない。画像処理部１６０は、ハードワイヤードな電子回路で構成してもよいし、プログラムを用いたマイクロコンピュータ、プロセッサなどで構成してもよい。
【００１８】
バッファメモリ１７０は、画像処理部１６０や制御部１８０のワークメモリとして機能する記録媒体である。バッファメモリ１７０は、ＤＲＡＭ（Ｄｙｎａｍｉｃ Ｒａｎｄｏｍ Ａｃｃｅｓｓ Ｍｅｍｏｒｙ）などにより実現される。フラッシュメモリ２４０は不揮発性の記録媒体である。各メモリ１７０，２４０は、それぞれ本実施形態における記憶部の一例である。
【００１９】
制御部１８０は、デジタルカメラ１００全体の動作を制御する。制御部１８０は、制御動作や画像処理動作の際に、バッファメモリ１７０をワークメモリとして使用する。
【００２０】
制御部１８０はＣＰＵまたはＭＰＵを含み、ＣＰＵまたはＭＰＵがプログラム（ソフトウェア）を実行することで所定の機能を実現する。制御部１８０は、ＣＰＵ等に代えて、所定の機能を実現するように設計された専用の電子回路で構成されるプロセッサを含んでもよい。すなわち、制御部１８０は、ＣＰＵ、ＭＰＵ、ＧＰＵ、ＤＳＵ、ＦＰＧＡ、ＡＳＩＣ等の種々のプロセッサで実現できる。制御部１８０は１つまたは複数のプロセッサで構成してもよい。
【００２１】
カードスロット１９０は、メモリカード２００を装着可能であり、制御部１８０からの制御に基づいてメモリカード２００に対してアクセスをする。デジタルカメラ１００は、メモリカード２００に画像データを記録したり、メモリカード２００から記録した画像データを読み出したりすることができる。
【００２２】
操作部２１０は、ユーザからの操作（指示）を受け付ける操作部材の総称である。操作部２１０は、ユーザ操作を受け付けるボタン、レバー、ダイヤル、タッチパネル、スイッチ等を含む。また、操作部２１０は、可動式モニタ２２０又はファインダ２５０に表示される仮想的なボタンやアイコンも含んでもよい。
【００２３】
可動式モニタ２２０は、種々の情報を表示する表示面を有し、表示面の向きを変更可能な表示部の一例である。例えば、可動式モニタ２２０は、イメージセンサ１４０で撮像され、画像処理部１６０で画像処理された画像データが示す画像（スルー画像）を表示する。また、可動式モニタ２２０は、ユーザがデジタルカメラ１００に対して種々の設定を行うためのメニュー画面等を表示する。可動式モニタ２２０は、例えば、液晶ディスプレイデバイスまたは有機ＥＬデバイスで構成できる。
【００２４】
図２は、デジタルカメラ１００の背面を例示する。可動式モニタ２２０の表示面２２２には、例えば操作部２１０に含まれるタッチパネル２１２が重畳して設けられる。以下では、デジタルカメラ１００の水平方向、垂直方向および光学系１１０の光軸方向をそれぞれＸ，Ｙ，Ｚ方向という。
【００２５】
図３は、デジタルカメラ１００の可動式モニタ２２０が反転された状態を例示する。可動式モニタ２２０の機構としては、例えばバリアングル方式を採用できる。図２，３に例示するように、可動式モニタ２２０は、表示面２２２の向きを変更するように２軸に回転可能な可動機構２２４を備える。
【００２６】
可動機構２２４は、デジタルカメラ１００の本体から、可動式モニタ２２０の表示面２２２を含む部分を開閉するように、Ｙ方向を回転軸として回転可能なヒンジを含む。図２では、デジタルカメラ１００の可動式モニタ２２０が開閉角度θ１＝０°に閉じられた状態を例示する。図３では、可動式モニタ２２０が開閉角度θ１＝１８０°に開かれた状態を例示する。
【００２７】
さらに、可動機構２２４は、デジタルカメラ１００の水平方向（図３ではＸ方向）を回転軸として可動式モニタ２２０を回転可能に構成される。図３の状態では、回転角度θ２＝０°であり、可動式モニタ２２０の表示面２２２が被写体側（＋Ｚ側）に向いている、即ち可動式モニタ２２０が反転している。可動式モニタ２２０は、例えば図３の状態から、回転角度θ２＝１８０°に回転することによって、表示面２２２を背面側（−Ｚ側）に向けられる。このような回転角度θ２の調整によっても、可動式モニタ２２０の反転を戻すことが可能である。
【００２８】
反転センサ２３０は、例えば、可動機構２２４の内部に設けられ、可動式モニタ２２０の向きが反転したか否かを検出して検出信号を生成するデバイスである。反転センサ２３０は、本実施形態における向き検出部の一例である。
【００２９】
例えば、反転センサ２３０は、開閉角度θ１が所定のしきい値を超えるか否かでオン／オフするスイッチと、回転角度θ２が所定のしきい値を超えるか否かでオン／オフするスイッチとを含む。例えば、開閉角度θ１のしきい値は１７０°であり、回転角度θ２のしきい値は１０°である。反転センサ２３０の検出信号は、上記各スイッチのオン／オフを示す。
【００３０】
デジタルカメラ１００には、図２，３に例示するように、タリーランプ２４５が設けられてもよい。タリーランプ２４５は、例えばＬＥＤ等で構成され、動画の撮影時に点灯する。
【００３１】
ファインダ２５０は、例えば電子式ビューファインダであり、種々の情報を表示する表示部の一例である。ファインダ２５０は、例えば図２に示すように、デジタルカメラ１００の背面の上部に配置される。ファインダ２５０は、内部に液晶ディスプレイや有機ＥＬディスプレイ等の表示デバイスを備える。ファインダ２５０は、さらに透明部材で構成される窓を備える。
【００３２】
アイセンサ２６０は、物体の近接を検出するセンサである。アイセンサ２６０は、ファインダ２５０の窓近傍に設けられる。アイセンサ２６０は、所定の距離範囲に近接する物体の存在を検出すると、その検出結果を示す検出信号を出力する。距離範囲は、ファインダ２５０の窓に眼を近付けるようなユーザの顔の近接を検出するように設定される。アイセンサ２６０は、本実施形態における近接検出部の一例である。
【００３３】
２．動作
以上のように構成されるデジタルカメラ１００の動作について、以下説明する。
【００３４】
２−１．動作の概要
本実施形態のデジタルカメラ１００において撮影者等のユーザに、ライブビュー表示などの各種情報を表示する動作の概要について、図４，５を用いて説明する。
【００３５】
図４は、デジタルカメラ１００における表示動作を説明するための状態遷移図である。図５は、デジタルカメラ１００を用いた撮影状況の一例を示す。
【００３６】
本実施形態のデジタルカメラ１００は、例えば図４に示すように、通常モニタ表示状態Ｓａ、反転モニタ表示状態Ｓｂ、ファインダ表示状態Ｓｃ、及び両方表示状態Ｓｄを有する。各表示状態Ｓａ〜Ｓｄは、デジタルカメラ１００が撮影中および撮影待機中にライブビュー表示等を行う動作において、相互間で遷移する動作状態である。
【００３７】
通常モニタ表示状態Ｓａは、撮影者等のユーザが、特にファインダ２５０を覗かずに、デジタルカメラ１００の背面側において可動式モニタ２２０の表示面２２２を視認するための状態である。通常モニタ表示状態Ｓａにおいて、ファインダ２５０は表示動作を行わないようにオフする一方、可動式モニタ２２０はオンする。この際、可動式モニタ２２０の表示面２２２に、ライブビュー表示のためのスルー画像などユーザ所望の情報が表示できる。
【００３８】
反転モニタ表示状態Ｓｂは、例えば自分撮りの際に、ユーザが、デジタルカメラ１００の前面側すなわち被写体側において、可動式モニタ２２０を用いるための状態である。反転モニタ表示状態Ｓｂでは、可動式モニタ２２０が、表示面２２２を被写体側に向けるように反転される。反転モニタ表示状態Ｓｂでは、通常モニタ表示状態Ｓａと同様に、ファインダ２５０はオフし、可動式モニタ２２０がオンする。
【００３９】
ファインダ表示状態Ｓｃは、撮影者等のユーザが、ファインダ２５０を覗いており、可動式モニタ２２０は用いない状態である。この際、可動式モニタ２２０は、通常モニタ表示状態Ｓａと同様に、特に反転されていない。ファインダ表示状態Ｓｃにおいては、ファインダ２５０がオンし、可動式モニタ２２０がオフする。
【００４０】
以上の３つの表示状態Ｓａ〜Ｓｃにおいては、ファインダ２５０と可動式モニタ２２０とのうち、撮影者のようなユーザが利用中の一方を選択的にオンすることにより、デジタルカメラ１００の電力消費を低減でき、例えば撮影期間を長くすることができる。
【００４１】
本実施形態のデジタルカメラ１００では、上記３つの表示状態Ｓａ〜Ｓｃに加えて、ファインダ２５０と可動式モニタ２２０との双方をオンする両方表示状態Ｓｄが提供される。両方表示状態Ｓｄは、デジタルカメラ１００の撮影者と共に、被写体側にいるユーザにも情報提示を行うように利用される。両方表示状態Ｓｄが利用される撮影の状況を、図５を用いて説明する。
【００４２】
図５は、本実施形態のデジタルカメラ１００を用いて撮影者５０が、被写体の人物すなわち被撮影者５５の動画等を撮影する様子を例示する。本例において、撮影者５０は、ファインダ２５０を覗き込んでいる。又、デジタルカメラ１００の可動式モニタ２２０は、表示面２２２を被撮影者５５に向けるように反転している。
【００４３】
図５に例示するような状況において、撮影者５０は、撮影における構図及び操作情報などを確認したい一方で、被撮影者５５も、自身が今どのように映るか等を確認したいといった要望が考えられる。しかしながら、従来のデジタルカメラでは、例えば撮影者５０がファインダの使用中であると可動式モニタのライブビュー表示が実施できない等、撮影者５０と被撮影者５５との両者が同時に所望の情報を確認可能にすることが困難であった。
【００４４】
そこで、本実施形態では、図５に例示するような状況ではデジタルカメラ１００を両方表示状態Ｓｄに移行させ、ファインダ２５０と可動式モニタ２２０とに同時のライブビュー表示等を行わせる。本実施形態のデジタルカメラ１００は、両方表示状態Ｓｄに自動的に移行するための所定条件として、可動式モニタ２２０の反転およびファインダ２５０に対する接眼の検知をトリガに用いる。以下、本実施形態のデジタルカメラ１００の動作の詳細を説明する。
【００４５】
２−２．動作の詳細
本実施形態のデジタルカメラ１００の表示動作について、図６〜１０を用いて説明する。
【００４６】
図６は、本実施形態におけるデジタルカメラ１００の表示動作の処理を例示するフローチャートである。図７〜１０は、それぞれデジタルカメラ１００の通常モニタ表示状態Ｓａ、反転モニタ表示状態Ｓｂ、ファインダ表示状態Ｓｃ、及び両方表示状態Ｓｄの表示例を示す。
【００４７】
図６のフローチャートに示す各処理は、例えばライブビューモードにおいて、デジタルカメラ１００の制御部１８０により、所定周期で実行される。
【００４８】
制御部１８０は、アイセンサ２６０による検出信号に基づいて、物体の近接（すなわち接眼）が検知されたか否かを判断する（Ｓ１）。例えば、撮影者５０がファインダ２５０を覗き込むと、撮影者５０の眼等がアイセンサ２６０に接近する。このとき、アイセンサ２６０は、近接する物体が検出されたことを示すように検出信号を出力して、制御部１８０はステップＳ１でＹＥＳに進む。
【００４９】
制御部１８０は、アイセンサ２６０により物体の近接が検知されていないと判断すると（Ｓ１でＮＯ）、例えばファインダ２５０を動作させる電力の供給を停止して、ファインダ２５０をオフに制御する（Ｓ２）。このとき、ファインダ２５０は、例えば消灯し、特に表示動作を行わない。
【００５０】
さらに、制御部１８０は、反転センサ２３０による検出信号に基づいて、可動式モニタ２２０が、表示面２２２を被写体側に向けるように反転されたか否かを判断する（Ｓ３）。ステップＳ３の判断は、例えば、可動式モニタ２２０の開閉角度θ１（図２参照）がしきい値を超えており、且つ回転角度θ２（図３参照）がしきい値を超えていない場合はＹＥＳであり、その他の場合はＮＯとなる。
【００５１】
制御部１８０は、可動式モニタ２２０が反転されていないと判断すると（Ｓ３でＮＯ）、通常モニタ表示状態Ｓａ（図４）としての表示動作を行うように可動式モニタ２２０を制御する（Ｓ４）。ステップＳ４の表示例を図７に示す。
【００５２】
図７は、図５と同様の外部環境（撮影シーン）において、撮影者５０がデジタルカメラ１００のファインダ２５０を覗かず、且つ可動式モニタ２２０を反転していない場合（Ｓ１及びＳ３でＮＯ）の表示例を示す。ステップＳ４の制御により、通常モニタ表示状態Ｓａの可動式モニタ２２０は、例えば図７に示すように、スルー画像６１と、各種のアイコン７０及びインジケータ７１とを表示面２２２上に表示する。
【００５３】
アイコン７０等の撮影情報は、デジタルカメラ１００における様々な状態および操作に関するものに設定可能である。例えば、撮影情報は、ＡＦ（オートフォーカス）枠、ＭＦ（マニュアルフォーカス）アシスト、動画記録モード、およびマイクレベル情報などを含んでもよい。
【００５４】
図６のステップＳ４において、制御部１８０は、イメージセンサ１４０のリアルタイムの撮像結果を示す画像信号に基づいて、例えば図７のようにスルー画像６１にアイコン７０等が重畳した画面を示す画像データを画像処理部１６０に生成させる。画像処理部１６０は、生成した画像データを順次、可動式モニタ２２０に出力する。
【００５５】
さらに、制御部１８０は、通常モニタ表示状態Ｓａ（Ｓ４）において表示面２２２上に表示された画面の各部に対するタッチ操作を受け付けるように、タッチパネル２１２の操作機能すなわちタッチ機能を有効に設定する（Ｓ５）。
【００５６】
又、アイセンサ２６０により物体の近接が検知されずに（Ｓ１でＮＯ）、可動式モニタ２２０が反転されたと判断すると（Ｓ３でＹＥＳ）、制御部１８０は、反転モニタ表示状態Ｓｂ（図４）として表示動作を行うように可動式モニタ２２０を制御する（Ｓ６）。ステップＳ６の表示例を図８に示す。
【００５７】
図８は、図７と同様の撮影シーンにおいて、可動式モニタ２２０が反転された場合（Ｓ３でＹＥＳ）の表示例を示す。反転モニタ表示状態Ｓｂ（Ｓ６）において、可動式モニタ２２０は、通常モニタ表示状態Ｓａのスルー画像６１（図７参照）から反転したスルー画像６２と、アイコン７０等とを表示面２２２上に表示する。アイコン７０等を表示する位置及び向きは、図７と同様であってもよいし、異なってもよい。
【００５８】
ステップＳ６において、制御部１８０は、ステップＳ４と同様の処理において、画像処理部１６０に、反転したスルー画像６２を含めるように画像データを生成させる。又、制御部１８０は、図８に例示するような反転モニタ表示状態Ｓｂ（Ｓ６）における表示面２２２上の表示位置に応じてタッチ操作を受け付けるように、有効のタッチ機能を設定する（Ｓ７）。
【００５９】
一方、アイセンサ２６０により物体の近接が検知されたとき（Ｓ１でＹＥＳ）、制御部１８０は、例えばファインダ２５０に動作電力を供給して、ファインダ２５０をオンに制御する（Ｓ８）。ステップＳ８は、ファインダ表示状態Ｓｃ又は両方表示状態Ｓｄにおけるファインダ２５０の表示動作を実行するための処理である。ステップＳ８の表示例を図９に示す。
【００６０】
図９は、図７と同様の撮影シーンにおいて、撮影者５０がファインダ２５０を覗いた場合（Ｓ１でＹＥＳ）の表示例を示す。ステップＳ８の制御により、ファインダ２５０は、例えば通常モニタ表示状態Ｓａの表示面２２２（図７）と同様に、スルー画像６１及び各種アイコン７０等を表示する。この際、制御部１８０は、可動式モニタ２２０の表示用の画像データとは別に、ファインダ２５０のアスペクト比等に合わせた画像データを画像処理部１６０に生成させて、ファインダ２５０に出力させる（Ｓ８）。
【００６１】
本実施形態のデジタルカメラ１００においては、上記のようにファインダ２５０の表示動作が行われる際（Ｓ８）にも、制御部１８０は、各センサ２３０，２６０の検出信号に基づいて、可動式モニタ２２０が反転されたか否かを判断する（Ｓ９）。ステップＳ９の判断は、例えばステップＳ３と同様に行われる。
【００６２】
制御部１８０は、可動式モニタ２２０が反転されていないと判断すると（Ｓ９でＮＯ）、例えば表示面２２２を消灯する等、可動式モニタ２２０をオフに制御する（Ｓ１０）。ステップＳ１０によると、デジタルカメラ１００はファインダ表示状態Ｓｃとなり、可動式モニタ２２０は表示動作を行わない。
【００６３】
このとき、可動式モニタ２２０の表示面２２２は、特に何も表示せずに撮影者５０側に向いていることとなる。そこで、例えばタッチパネル２１２は、表示面２２２に触れるタッチ操作について、ファインダ２５０に表示された画面に対するタッチパッドのように利用されてもよい。この場合、制御部１８０は、ファインダ２５０の画面上の表示位置に応じてタッチ操作を受け付けるように、有効のタッチ機能を設定する（Ｓ１１）。
【００６４】
一方、制御部１８０は、可動式モニタ２２０が反転されたと判断すると（Ｓ９でＹＥＳ）、両方表示状態Ｓｄとしてファインダ２５０と共に表示動作を行うように可動式モニタ２２０を制御する（Ｓ１２）。ステップＳ１２の表示例を図１０に示す。
【００６５】
図１０は、図５の撮影状況（Ｓ１及びＳ９でＹＥＳ）における可動式モニタ２２０の表示面２２２の表示例を示す。可動式モニタ２２０における図１０の表示時に、ファインダ２５０は、図９に例示した画面を表示している（Ｓ８）。
【００６６】
本実施形態の両方表示状態Ｓｄにおいては、ファインダ２５０にはアイコン７０等が表示される（図９）一方で、可動式モニタ２２０はステップＳ１２の制御により、図１０に例示するように、アイコン７０等を表示せずに、スルー画像６２のみを表示する。又、両方表示状態Ｓｄにおいて、可動式モニタ２２０のスルー画像６２は、ファインダ２５０のスルー画像６１から、反転モニタ表示状態Ｓｂ（図８参照）と同様に反転される。ステップＳ１２において、制御部１８０は、ステップＳ６と同様の処理において、アイコン７０等を含めない画面を示す画像データを画像処理部１６０に生成させる。
【００６７】
さらに、制御部１８０は、両方表示状態（Ｓ１２）における可動式モニタ２２０の表示面２２２に対しては、タッチパネル２１２においてタッチ操作を受け付けないように、タッチ機能を無効に設定する（Ｓ１３）。
【００６８】
制御部１８０は、例えば各種表示状態Ｓａ〜Ｓｄにおいて対応するタッチ機能等の設定（Ｓ５，Ｓ７，Ｓ１１，Ｓ１３）後に、本フローチャートに示す処理を終了する。制御部１８０は、所定の周期で本フローチャートの処理を繰り返す。
【００６９】
以上の処理によると、本実施形態のデジタルカメラ１００は、ファインダ２５０に対する撮影者５０の接眼が検知され、且つ、可動式モニタ２２０が反転されたことをトリガの条件として（Ｓ１及びＳ９でＹＥＳ）、両方表示状態Ｓｄに移行する（Ｓ８，Ｓ１２）。
【００７０】
本実施形態において、両方表示状態Ｓｄでは、ファインダ２５０の画面（図９）が撮影者５０に視認される一方、可動式モニタ２２０の画面（図１０）は、被撮影者５５に視認されることを想定している。そこで、本実施形態では、図１０に例示するように、可動式モニタ２２０の表示面２２２にはアイコン７０等の表示を敢えて省いた画面を表示することにより、被撮影者５５が確認したいスルー画像６２を見易くすることができる。又、撮影者５０に対しては、ファインダ２５０にアイコン７０等の各種情報を表示することにより、両者が確認したい情報を同時に提示することができる。
【００７１】
さらに、上記のような両方表示状態Ｓｄにおいては、可動式モニタ２２０の表示面２２２に対するタッチ操作は無効に設定する（Ｓ１３）。これにより、例えば撮影者５０がファインダ２５０を覗き込んでいるときに被撮影者５５が表示面２２２を触れてしまったことによって、デジタルカメラ１００において撮影者５０の意図しない誤操作が生じるような事態を回避することができる。
【００７２】
又、図４に示すように、両方表示状態Ｓｄにおいて例えば撮影者５０がファインダ２５０から眼を離すと、デジタルカメラ１００は、反転モニタ表示状態Ｓｂに移行する（Ｓ１でＮＯ，Ｓ３でＹＥＳ）。このときには、図８に例示するように可動式モニタ２２０の表示面２２２にアイコン７０等が表示され、タッチ機能も有効となる（Ｓ６，Ｓ７）。これにより、例えば撮影者５０が自分撮りを始めた際には、表示面２２２を確認しながらタッチ操作も入力でき、デジタルカメラ１００で撮影を行い易くできる。
【００７３】
また、図４の両方表示状態Ｓｄから、例えば撮影者５０が反転した可動式モニタ２２０の向きを戻すと、デジタルカメラ１００は、ファインダ表示状態Ｓｃに移行する（Ｓ１でＹＥＳ，Ｓ９でＮＯ）。さらに、撮影者５０がファインダ２５０から眼を離すと、デジタルカメラ１００は、通常モニタ表示状態Ｓａに移行する（Ｓ１，Ｓ３でＮＯ）。
【００７４】
以上のように、撮影状況の変化に応じて各表示状態Ｓａ〜Ｓｄを遷移することにより、各々の撮影状況において有用な情報を表示でき、デジタルカメラ１００を用いた撮影を行い易くすることができる。例えば、撮影者５０が、離眼時に表示面２２２を確認しながら、反転モニタ表示状態Ｓｂになるように可動式モニタ２２０の向きを調整し、その後に接眼するといった簡単な手順により、ユーザにとって容易に両方表示状態Ｓｄに到ることができる。
【００７５】
上記のステップＳ１１では、ファインダ表示状態Ｓｃにおいてタッチパネル２１２のタッチ機能を有効に設定する例を説明した。ステップＳ１１において、タッチ機能は無効に設定されてもよい。
【００７６】
上記のステップＳ１２では、可動式モニタ２２０の表示面２２２において、スルー画像６２のみを表示し、アイコン７０等を全て表示させない例を説明した。ステップＳ１２では、アイコン７０等の撮影情報の一部を表示させないようにしてもよく、被撮影者５５にとって必要なアイコン等を可動式モニタ２２０の表示面２２２に表示させてもよい。例えば、スルー画像６２を確認する際に邪魔にならないもの、或いは被撮影者５５も確認したいと想定されるものについては、表示面２２２に表示されてもよい。
【００７７】
又、以上で説明した図６の表示動作は、例えばデジタルカメラ１００のライブビューモードなど撮影待機中または撮影中に行われる。デジタルカメラ１００において、再生表示時又は設定メニュー表示時には、両方表示状態Ｓｄに移行しないように制限されてもよい。
【００７８】
３．効果等
以上のように、本実施形態のデジタルカメラ１００は、被写体の画像を撮像する撮像装置の一例である。デジタルカメラ１００は、第１の表示部の一例であるファインダ２５０と、第２の表示部の一例である可動式モニタ２２０と、制御部１８０とを備える。可動式モニタ２２０は、被写体側に向きを変更可能な表示面２２２を有する。制御部１８０は、ファインダ２５０及び可動式モニタ２２０の動作を制御する。制御部１８０は、所定の条件が満たされると（Ｓ１及びＳ９でＹＥＳ）、ファインダ２５０に、被写体の画像の一例のスルー画像６１を表示させ（Ｓ８）、可動式モニタ２２０に、ファインダ２５０と同時に被写体を映す画像の一例のスルー画像６２を表示させる（Ｓ１２）。
【００７９】
以上のデジタルカメラ１００によると、撮影者５０と被撮影者５５とが各々所望の情報を確認したい状況と想定される所定の条件が満たされたときに、ファインダ２５０と可動式モニタ２２０とに同時にスルー画像６１，６２を表示できる。これにより、デジタルカメラ１００を用いて被撮影者５５の撮影を行い易くすることができる。
【００８０】
本実施形態のデジタルカメラ１００は、表示面２２２の向きが被写体側であるか否かを検出する向き検出部の一例の反転センサ２３０をさらに備える。上記所定の条件は、表示面２２２の向きが被写体側であると検出されたことを含む。これにより、可動式モニタ２２０の表示面２２２が被撮影者５５に向けられたときに、両方表示状態Ｓｄに移行して、被撮影者５５の撮影を行い易くすることができる。
【００８１】
本実施形態のデジタルカメラ１００は、ファインダ２５０に近接する物体を検出する近接検出部の一例のアイセンサ２６０をさらに備える。上記所定の条件は、表示面２２２の向きが被写体側であると検出され、且つアイセンサ２６０によって物体が検出されたことである。これにより、撮影者５０がファインダ２５０を覗くときに両方表示状態Ｓｄに移行でき、撮影者５０と被撮影者５５との両者にとって有用な情報表示を行える。
【００８２】
本実施形態において、制御部１８０は、アイセンサ２６０により物体が検出されていないとき（Ｓ１でＮＯ）、反転センサ２３０の検出結果に応じて、可動式モニタ２２０に表示する画像を反転するか否かを切り替える（Ｓ３，Ｓ４，Ｓ６）。制御部１８０は、アイセンサ２６０により物体が検出されたとき（Ｓ１でＹＥＳ）、反転センサ２３０の検出結果に応じて、可動式モニタ２２０に、ファインダ２５０と同時に被写体を映す画像を表示させるか否かを切り替える（Ｓ９，Ｓ１０，Ｓ１２）。これにより、撮影状況に応じて４つの表示状態Ｓａ〜Ｓｄ（図４）を切り替えて、可動式モニタ２２０及び／又はファインダ２５０に適時、有用な情報表示を行うことができる。
【００８３】
本実施形態において、表示面２２２の向きが被写体側である場合（Ｓ３又はＳ９でＹＥＳ）において、制御部１８０は、アイセンサ２６０により物体が検出されていないとき（Ｓ１でＮＯ）、可動式モニタ２２０に、被写体を映すスルー画像６２と、被写体の撮影に関する撮影情報の一例のアイコン７０等とを表示させる（Ｓ６、図８参照）。一方、制御部１８０は、アイセンサ２６０により物体が検出されたとき（Ｓ１でＹＥＳ）、可動式モニタ２２０に、上記撮影情報の一部又は全てを表示させずに、ファインダ２５０と同時に被写体を映すスルー画像６２を表示させる（Ｓ１２、図１０参照）。これにより、例えば自分撮りを行う撮影者５０が確認したい表示と、被撮影者５５が確認したい表示とを切り替えて、デジタルカメラ１００を用いた撮影を行い易くできる。
【００８４】
本実施形態において、制御部１８０は、所定の条件が満たされると（Ｓ１及びＳ９でＹＥＳ）、ファインダ２５０に、被写体のスルー画像６１と、被写体の撮影に関する撮影情報とを表示させる（Ｓ８、図９参照）。このとき、制御部１８０は、可動式モニタ２２０に、撮影情報の一部又は全てを表示させずに、ファインダ２５０と同時に被写体を映すスルー画像６２を表示させる（Ｓ１２、図１０参照）。これにより、撮影者５０と被撮影者５５とにそれぞれ所望の情報を表示して、デジタルカメラ１００を用いた撮影を行い易くできる。
【００８５】
本実施形態のデジタルカメラ１００は、表示面２２２に対するユーザ操作を入力する操作部の一例のタッチパネル２１２をさらに備える。制御部１８０は、所定の条件が満たされると（Ｓ１及びＳ９でＹＥＳ）、タッチパネル２１２において表示面２２２に対するユーザ操作を無効に設定する（Ｓ１３）。これにより、例えば被撮影者５５によるタッチパネル２１２の誤操作を回避して、デジタルカメラ１００を用いた撮影を行い易くできる。
【００８６】
本実施形態において、第１の表示部は、電子式ビューファインダであり、第２の表示部は、可動式モニタである。こうした複数の表示部を備えた撮像装置において、被撮影者の撮影を行い易くすることができる。
【００８７】
（実施形態２）
実施形態２では、動画の撮影中には、被撮影者５５に対する可動式モニタ２２０の表示を禁止するデジタルカメラ１００について説明する。
【００８８】
以下、実施形態１に係るデジタルカメラ１００と同様の構成、動作の説明は適宜、省略して、本実施形態に係るデジタルカメラ１００を説明する。
【００８９】
図１１は、実施形態２におけるデジタルカメラ１００の表示動作の処理を例示するフローチャートである。本実施形態のデジタルカメラ１００において、制御部１８０は、実施形態１と同様にステップＳ１〜Ｓ１３を実行する際に、例えば両方表示状態Ｓｄにあるとき（Ｓ９でＹＥＳ）、図１１に示すように、動画の撮影中であるか否かを判断する（Ｓ１４）。
【００９０】
制御部１８０は、動画の撮影前には（Ｓ１４でＮＯ）、実施形態１と同様に、可動式モニタ２２０の表示面２２２に、図１０に例示したような画像を表示させる（Ｓ１２）。一方、動画の撮影中は、可動式モニタ２２０の表示面２２２の表示を、被撮影者５５が見てしまうことで、撮影中の動画において被撮影者５５の視線がずれる場合が考えられる。そこで、本実施形態の制御部１８０は、動画の撮影中になると（Ｓ１４でＹＥＳ）、表示面２２２に表示された画像を消去する（Ｓ１５）。これにより、動画の撮影中には、被撮影者５５に対する可動式モニタ２２０の表示が禁止される。
【００９１】
以上のように、本実施形態において、可動式モニタ２２０に、ファインダ２５０と同時に被写体を映す画像が表示された状態において動画の撮影が実行されると（Ｓ１４でＹＥＳ）、制御部１８０は、可動式モニタ２２０に表示させた画像を消去する（Ｓ１５）。これにより、動画の撮影中に、可動式モニタ２２０の表示面２２２の表示によって被撮影者５５の視線がずれるような事態を回避することができる。
【００９２】
（他の実施形態）
以上のように、本出願において開示する技術の例示として、実施形態１，２を説明した。しかしながら、本開示における技術は、これに限定されず、適宜、変更、置換、付加、省略などを行った実施の形態にも適用可能である。また、上記各実施形態で説明した各構成要素を組み合わせて、新たな実施の形態とすることも可能である。そこで、以下、他の実施形態を例示する。
【００９３】
上記の実施形態２では、動画の撮影中には、被撮影者５５に対する可動式モニタ２２０の表示を禁止することで、被撮影者５５の視線がずれないようにする例を説明した。このとき、被撮影者５５に対して、動画の撮影中であることを示す情報表示を、可動式モニタ２２０の表示面２２２で行ってもよい。こうした変形例について、図１２を用いて説明する。
【００９４】
図１２は、実施形態２の変形例の両方表示状態の表示例を示す図である。本変形例において、デジタルカメラ１００の制御部１８０は、図１１と同様のステップＳ１〜Ｓ１４を行い、ステップＳ１５の代わりに、例えば図１２に示すように、動画の撮影中であることを示唆する強調表示を可動式モニタ２２０に行わせる。これにより、例えば図３に示すようなデジタルカメラ１００の前面側のタリーランプ１４５が設けられていない場合であっても、被撮影者５５に、動画の撮影中か否かを認識させることができる。
【００９５】
図１２の例において、可動式モニタ２２０は、表示面２２２において、ステップＳ１５と同様の画面に対して、赤枠７２を表示している。動画の撮影中の強調表示は赤枠７２に限らず、他の色の枠であってもよいし、赤丸等のタリーランプを示すアイコン等であってもよい。
【００９６】
以上のように、デジタルカメラ１００の制御部１８０は、所定の条件が満たされ（Ｓ１及びＳ９でＹＥＳ）、且つ被写体の動画の撮影中に（Ｓ１４でＹＥＳ）、可動式モニタ２２０に、ファインダ２５０と同時に被写体を映す画像に代えて、動画の撮影中であることを示す情報を表示させてもよい。これにより、被撮影者５５は、スルー画像６２を確認しながら、動画の撮影中か否かを確認することができ、デジタルカメラ１００を用いた被撮影者５５の撮影を実施し易くできる。
【００９７】
上記の各実施形態では、可動式モニタ２２０及びファインダ２５０の両方表示状態Ｓｄに移行するトリガの所定条件の一例として、表示面２２２の向きが被写体側であると検出され、且つアイセンサ２６０によって物体が検出されたことを例示したが、当該所定条件はこれに限定されない。例えば、操作部２１０における所定のボタンの押下操作といった、予め設定されたユーザ操作をトリガとして、デジタルカメラ１００は、両方表示状態Ｓｄに移行してもよい。これによっても、例えば撮影者５０及び被撮影者５５がいるような撮影状況において、上記ユーザ操作を入力することにより、実施形態１と同様に両者にとって有用な情報表示を行うことができる。
【００９８】
以上のように、本実施形態のデジタルカメラ１００は、ユーザの操作を入力する操作部２１０をさらに備えてもよい。両方表示状態Ｓｄの所定条件は、操作部２１０において所定のユーザ操作が入力されたことを含んでもよい。例えば、表示面２２２の向きが被写体側であると検出されたことと、アイセンサ２６０によって物体が検出されたこととの内の一方が、上記ユーザ操作の入力に置き換えられてもよい。
【００９９】
上記の各実施形態では、可動式モニタ２２０の機構の一例を説明したが、特にこれに限定されない。例えば、可動式モニタ２２０には、図２，３に例示した可動機構２２４に加えて、さらに、撮影者が様々な姿勢において表示面２２２を確認するためのチルトアップ機構が設けられてもよい。この際、反転センサ２３０は、チルトアップ機構が展開しているか否かでオン／オフが切り替わるスイッチを含んでもよい。このスイッチがオンの場合、制御部１８０は、図６のステップＳ３，Ｓ９でＮＯに進んでもよい。
【０１００】
又、可動式モニタ２２０は、バリアングル方式に限らず、例えばチルト方式であってもよい。チルト方式においても、可動式モニタ２２０が表示面２２２を被写体側に向けられた即ち反転された状態を検知して、反転モニタ表示状態Ｓｂ又は両方モニタ表示状態Ｓｄを適用できる。
【０１０１】
また、上記の各実施形態では、可動式モニタ２２０の表示面２２２の向き検出部の一例として、スイッチを用いた反転センサ２３０を例示したが、向き検出部はこれに限定されない。例えば、本実施形態の向き検出部は、可動式モニタ２２０の表示面２２２の開閉角度θ１及び回転角度θ２等の各種角度を連続的に測定可能な角度センサであってもよい。
【０１０２】
また、上記の各実施形態では、光学系１１０及びレンズ駆動部１２０を備えるデジタルカメラ１００を例示した。本実施形態の撮像装置は、光学系１１０及びレンズ駆動部１２０を備えなくてもよく、例えば交換レンズ式のカメラであってもよい。
【０１０３】
また、上記の各実施形態では、撮像装置の例としてデジタルカメラを説明したが、これに限定されない。本開示の撮像装置は、画像撮影機能を有する電子機器（例えば、ビデオカメラ、スマートフォン、タブレット端末等）であればよい。
【０１０４】
以上のように、本開示における技術の例示として、実施の形態を説明した。そのために、添付図面および詳細な説明を提供した。
【０１０５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０６】
また、上述の実施の形態は、本開示における技術を例示するためのものであるから、特許請求の範囲またはその均等の範囲において種々の変更、置換、付加、省略などを行うことができる。
【産業上の利用可能性】
【０１０７】
本開示は、複数の表示部を備える撮像装置に適用可能である。
【符号の説明】
【０１０８】
１００    デジタルカメラ
１８０    コントローラ
２２０    可動式モニタ
２３０    反転センサ
２５０    ファインダ
２６０    アイセンサ
【要約】
【課題】複数の表示部を備えた撮像装置において、被撮影者の撮影を行い易くすることができる撮像装置を提供する。
【解決手段】被写体の画像を撮像する撮像装置（１００）が提供される。撮像装置は、第１の表示部（２５０）と、第２の表示部（２２０）と、制御部（１８０）とを備える。第２の表示部は、被写体側に向きを変更可能な表示面（２２２）を有する。制御部は、第１及び第２の表示部の動作を制御する。制御部は、所定の条件が満たされると、第１の表示部に、被写体の画像を表示させ（Ｓ８）、第２の表示部に、第１の表示部と同時に被写体を映す画像を表示させる（Ｓ１２）。
【選択図】図６【図１】
0006906169.tif 000002
【図２】
0006906169.tif 000003
【図３】
0006906169.tif 000004
【図４】
0006906169.tif 000005
【図５】
0006906169.tif 000006
【図６】
0006906169.tif 000007
【図７】
0006906169.tif 000008
【図８】
0006906169.tif 000009
【図９】
0006906169.tif 000010
【図１０】
0006906169.tif 000011
【図１１】
0006906169.tif 000012
【図１２】
0006906169.tif 000013